(57)【要約】【課題】表面のみならず裏面にも広告用、告知用、装飾用等の印刷を見栄えよく施すことができる缶詰の紙製集積包装を提供する。【解決手段】上端（１３）を塞ぎ下端（１５）を開口した略円筒状体（１１）を紙により形成し、該略円筒状体に下縁から切込み（１７）を設けることにより係止舌部（１９）を形成し、該係止舌部を該略円筒状体の内側上方に折り曲げ、更に該略円筒状体の外面には集積包装内の全缶詰（３１）に対応する単一のバーコード（３３）．を備えさせ、上下方向に積み重ねた複数個の缶詰（３１）に対し上方より該略円筒状体を外嵌し、該係止舌部が当該複数個の缶詰のうちの最下の缶詰に係止することにより当該複数個の缶詰が該略円筒状体内に保持されるようにしたことを特徴とする缶詰の紙製集積包装。【選択図】図１
2004161289.tif 000002
【特許請求の範囲】
【請求項１】
上端を塞ぎ下端を開口した略円筒状体を紙により形成し、該略円筒状体に下縁から切込みを設けることにより係止舌部を形成し、該係止舌部を該略円筒状体の内側上方に折り曲げ、更に該略円筒状体の外面には集積包装内の全缶詰に対応する単一のバーコードを備えさせ、上下方向に積み重ねた複数個の缶詰に対し上方より該略円筒状体を外嵌し、該係止舌部が当該複数個の缶詰のうちの最下の缶詰に係止することにより当該複数個の缶詰が該略円筒状体内に保持されるようにしたことを特徴とする缶詰の紙製集積包装。
【発明の詳細な説明】
【０００１】
【発明の属する技術分野】
本発明は缶詰の紙製集積包装に関するものである。
【０００２】
【従来の技術】
缶詰の集積包装としては、シュリンクフィルムによりシュリンク包装してなるものが既に知られているが、図４に示すように両端１、１を開口した紙製の角筒状体３内に複数個の缶詰５、５・・・を並列させた状態で収納するようにしたものも使用されている。これらの集積包装の外面には、該集積包装内の全缶詰に対応する単一のバーコードが付されている。なお、本出願人は缶詰の紙製集積包装に関する先行技術文献情報を有しない。
【０００３】
【発明が解決しようとする課題】
シュリンクフィルムによりシュリンク包装してなる缶詰の集積包装は作業性、コスト等の面においては申し分ないものである。
【０００４】
しかるに、シュリンクフィルムによる集積包装は広告用、告知用、装飾用等の印刷を施したときに、見栄えがしないという問題がある。
【０００５】
そこで、シュリンクフィルムによる集積包装には、広告用、告知用、装飾用等の葉書、カード、シール等がしばしば封入もしくは貼着されているが、これらの葉書、カード、シール等を封入もしくは貼着した集積包装も好ましい外観を呈するものではない。
【０００６】
また、両端を開口した紙製の角筒状体内に複数個の缶詰を並列させた状態で収納するようにしてなる紙製集積包装においては、集積包装内の缶詰が角筒状体の両端から見える状態にある。従って、店頭販売時においては、集積包装内の各缶詰に付されているバーコード９ではなく角筒状体の外面に付されている当該集積包装内の全缶詰に対応する単一のバーコード７が読み取られなければならないにも拘らず、角筒状体の端部に見えている缶詰のバーコード９が読み取られるおそれがある。
【０００７】
更に、両端を開口した紙製の角筒状体内に複数個の缶詰を並列させた状態で収納するようにしてなる紙製集積包装は、当該複数個の缶詰をコンパクトに且つ体裁よく包装し得るものではない。
【０００８】
本発明は、上記従来の集積包装における上述の如き問題を解決しようとしてなされたものである。
【０００９】
【課題を解決するための手段】
上記課題を解決するために、本発明は下記の缶詰の紙製集積包装を提供するものである。
【００１０】
即ち、本発明による缶詰の紙製集積包装は、上端を塞ぎ下端を開口した略円筒状体を紙により形成し、該略円筒状体に下縁から切込みを設けることにより係止舌部を形成し、該係止舌部を該略円筒状体の内側上方に折り曲げ、更に該略円筒状体の外面には集積包装内の全缶詰に対応する単一のバーコードを備えさせ、上下方向に積み重ねた複数個の缶詰に対し上方より該略円筒状体を外嵌し、該係止舌部が当該複数個の缶詰のうちの最下の缶詰に係止することにより当該複数個の缶詰が該略円筒状体内に保持されるようにしたことを特徴とするものである。
【００１１】
【作用】
略円筒状体は全体が紙製であるため、該略円筒状体を上下方向に積み重ねた複数個の缶詰に対し上方より外嵌したときには、これらの缶詰は外部からは見えなくなる。従って、店頭販売時において、集積包装内の各缶詰の表面に付されたバーコードも読み取り不能となり、略円筒状体の外面に備えさせた集積包装内の全缶詰に対応する単一のバーコードのみが読み取られることになる。
【００１２】
略円筒状体は全体が紙製であるため、表面のみならず裏面にも広告用、告知用、装飾用等の印刷を見栄えよく施すことができる。
【００１３】
上下方向に積み重ねた複数個の缶詰に対し上方より略円筒状体を外嵌するようにしたため、紙製集積包装でありながら複数個の缶詰をコンパクトに且つ体裁よく包装することができる。
【００１４】
略円筒状体は下端が開口しているが、複数個の缶詰は係止舌部により略円筒状体内に確実に保持される。
【００１５】
【発明の実施の形態】
次に、本発明の実施の形態を添付図面に従って説明する。
符号１１に示すものは紙により形成した略円筒状体である。略円筒状体１１は上端１３を塞ぎ、下端１５を開口する。
【００１６】
略円筒状体１１に下縁から切込み１７、１７を設けることにより係止舌部１９を形成し、該係止舌部１９を該略円筒状体１１の内側上方に折り曲げる。係止舌部１９は一例として一対形成する。
【００１７】
図３は略円筒状体１１の展開図の一例を示す。略円筒状体１１の上端１３は上端構成片２１、２３により塞がれる。即ち、一方の上端構成片２１上に他方の上端構成片２３を接着剤等の接着手段２５により接着することにより、略円筒状体１１の上端１３を塞ぐ。符号２７に示すものは略円筒状体１１の胴部を形成するための接着剤等の接着手段である。
【００１８】
略円筒状体１１の外面には集積包装内の全缶詰３１、３１・・・に対応する単一のバーコード３３を備えさせる。集積包装内の各缶詰３１に付せられているバーコード３５は略円筒状体１１により完全に遮蔽されるため、店頭販売時には集積包装内の各缶詰３１に付せられているバーコード３５が読み取られることはなく、専ら略円筒状体１１の外面に付せられたバーコード３３のみが読み取られる。
【００１９】
上下方向に積み重ねた複数個の缶詰３１、３１・・・に対し上方より略円筒状体１１を外嵌し、係止舌部１９が当該複数個の缶詰３１、３１・・・のうちの最下の缶詰３１に係止することにより当該複数個の缶詰３１、３１・・・が該略円筒状体１１内に保持される。
【００２０】
なお、略円筒状体１１の上端１３には缶詰３１に付せられている賞味期限等の表示を略円筒状体１１の外側から確認するための透孔３７（図１参照）を形成してもよい。
【００２１】
【発明の効果】
以上説明したように、本発明は下記の如き優れた効果を発揮する。
【００２２】
（１）略円筒状体は全体が紙製であるため、該略円筒状体を上下方向に積み重ねた複数個の缶詰に対し上方より外嵌したときには、これらの缶詰は外部からは見えなくなる。従って、店頭販売時において、集積包装内の各缶詰の表面に付されたバーコードも読み取り不能となり、略円筒状体の外面に備えさせた集積包装内の全缶詰に対応する単一のバーコードのみが確実に読み取られる。
【００２３】
（２）略円筒状体は全体が紙製であるため、表面のみならず裏面にも広告用、告知用、装飾用等の印刷を見栄えよく施すことができる。
【００２４】
（３）上下方向に積み重ねた複数個の缶詰に対し上方より略円筒状体を外嵌するようにしたため、紙製集積包装でありながら複数個の缶詰をコンパクトに且つ体裁よく包装することができる。
【００２５】
（４）略円筒状体は下端が開口しているが、複数個の缶詰は係止舌部により略円筒状体内に確実に保持される。
【図面の簡単な説明】
【図１】上下方向に積み重ねた複数個の缶詰と略円筒状体とを示す斜視図である。
【図２】上下方向に積み重ねた複数個の缶詰に略円筒状体を外嵌した状態を示す断面図である。
【図３】略円筒状体の展開図である。
【図４】従来の紙製集積包装を示す斜視図である。
【符号の説明】
１  端
３  角筒状体
５  缶詰
７  バーコード
９  バーコード
１１  略円筒状体
１３  上端
１５  下端
１７  切込み
１９  係止舌部
２１  上端構成片
２３  上端構成片
２５  接着手段
２７  接着手段
３１  缶詰
３３  バーコード
３５  バーコード
３７  透孔
【図１】
2004161289.tif 000003
【図２】
2004161289.tif 000004
【図３】
2004161289.tif 000005
【図４】
2004161289.tif 000006